(57)【特許請求の範囲】
【請求項１】
椅子等における座部側面に沿って配置した支持部材と、支持部材に装着した肘当部材とを備え、前記支持部材は、前記座部を支えるベースフレームに、支持部材における座部背側に対応した下端部を、中継部材を介して回動可能に拘束すると共に、前記中継部材を着脱可能とする構成の回動着脱支持機構を介して装着する一方、支持部材における座部前方側に対応した下端部を、下端部側に設けたロック機構により前記ベースフレームに着脱可能に拘束する構成とし、このロック機構により、前記支持部材における座部前方側下端部を前記ベースフレームから離脱させて、前記支持部材を、支持部材における座部背側下端部を中継部材を介し回動着脱支持機構において回動させて、前記座部側面を開放する一方、必要に応じて前記回動着脱支持機構を操作して、支持部材における座部背側の下端部における中継部材を開放し、前記支持部材を取り外すようにしたことを特徴とする椅子等における座部のアームレスト装置。
【請求項２】
前記回動着脱支持機構は、前記支持部材における座部背側下端部の中継部材を、回動可能に支持する嵌入溝を備えた受ケースを前記ベースフレームの背側端部に設け、前記中継部材を前記受ケースにおける嵌入溝に対し着脱可能とする着脱操作機構を備えたことを特徴とする請求項１記載の椅子等における座部のアームレスト装置。
【請求項３】
前記着脱操作機構は、前記受ケースにおける嵌入溝に直交状に連通形成したピン穴を有し、このピン穴に着脱ピンを挿通して前記嵌入溝に支持した中継部材の挿通穴にコイルスプリングにより、前記着脱ピンを嵌入して中継部材を拘束する構成とし、前記受ケースに、前記着脱ピンを、コイルスプリングの付勢力に抗して、前記中継部材の挿通穴から退動させた状態で保持する着脱レバーを設けてなることを特徴とする請求項２記載の椅子等における座部のアームレスト装置。
【請求項４】
前記ロック機構は、前記支持部材における座部前方側下端部を、前方側下端部に軸止めした円錐軸を介して受け入れるロック筐体と、前記円錐軸に対し、円錐軸に設けた係止穴に、ロック筐体を貫いて付勢手段により、常時係止するように保持したロックピンと、このロックピンを前記円錐軸の係止穴から付勢手段の付勢力に抗して係脱させるための解除レバーとによって構成し、前記ロック筐体は、上面に前記円錐軸を受け入れる保持穴を有し、前記解除レバーとロックピンとは、解除レバーをロックピンに対して直交方向に操作した際に、ロックピンの先端側が保持穴に向かって突出する一方、解除レバーをロックピンに対して一直線状となるように操作した際に、ロックピンの先端側が保持穴から退動するように枢支されていることを特徴とする請求項１記載の椅子等における座部のアームレスト装置。
【請求項５】
前記座部は、家具椅子における座部であることを特徴とする請求項１ないし４記載のうち、いずれか１記載の椅子等における座部のアームレスト装置。
【請求項６】
前記座部は、車椅子における座部であることを特徴とする請求項１ないし４記載のうち、いずれか１記載の椅子等における座部のアームレスト装置。
【発明の詳細な説明】
【０００１】
【発明の属する技術分野】
本発明は、座位姿勢を支える他、身体を移動する際には、妨げとならないように椅子等における座部側面を開放するべく移動したり、場合によっては取り外すことができるようにした、椅子等における座部のアームレスト装置に関するものである。
【０００２】
【従来の技術】
従来、車椅子は、高齢者、重傷病患者、歩行障害者にとっては不可欠の備品であり、大多数の使用者が使いやすいように設計がなされている。
かかる車椅子の使用者は、使用の際には、必ずと言っていいほどベッドやポータブルトイレ、その他、他の設備、例えば診察台との間で乗り移りの動作を伴う。
【０００３】
【発明が解決しようとする課題】
その際、座部傍らのアームレスト部が、使用者の臀部に当たり邪魔になったり、使用者が重篤な場合、介助者が使用者を前後から二人介助で、車椅子から移乗先へ移さなければならなく、使用者にとっても介助者にとっても大変な負担を強いられることとなっている。
本発明は、かかる課題を改善するために提案されたものであって、座位姿勢を支える他、身体を移動する際には、妨げとならないように椅子等における座部側面を開放するべく移動したり、場合によっては取り外すことができるようにした、椅子等における座部のアームレスト装置を提供することを目的とする。
【０００４】
【課題を解決するための手段】
前記した課題を解決するために、本発明では、請求項１において、椅子等における座部側面に沿って配置した支持部材と、支持部材に装着した肘当部材とを備え、前記支持部材は、前記座部を支えるベースフレームに、支持部材における座部背側に対応した下端部を、中継部材を介して回動可能に拘束すると共に、前記中継部材を着脱可能とする構成の回動着脱支持機構を介して装着する一方、支持部材における座部前方側に対応した下端部を、下端部側に設けたロック機構により前記ベースフレームに着脱可能に拘束する構成とし、このロック機構により、前記支持部材における座部前方側下端部を前記ベースフレームから離脱させて、前記支持部材を、支持部材における座部背側下端部を中継部材を介し回動着脱支持機構において回動させて、前記座部側面を開放する一方、必要に応じて前記回動着脱支持機構を操作して、支持部材における座部背側の下端部における中継部材を開放し、前記支持部材を取り外すようにした椅子等における座部のアームレスト装置を提案する。
また本発明では、請求項２において、前記回動着脱支持機構は、前記支持部材における座部背側下端部の中継部材を、回動可能に支持する嵌入溝を備えた受ケースを前記ベースフレームの背側端部に設け、前記中継部材を前記受ケースにおける嵌入溝に対し着脱可能とする着脱操作機構を備えた椅子等における座部のアームレスト装置を提案する。
また本発明では、請求項３において、前記着脱操作機構は、前記受ケースにおける嵌入溝に直交状に連通形成したピン穴を有し、このピン穴に着脱ピンを挿通して前記嵌入溝に支持した中継部材の挿通穴にコイルスプリングにより、前記着脱ピンを嵌入して中継部材を拘束する構成とし、前記受ケースに、前記着脱ピンを、コイルスプリングの付勢力に抗して、前記中継部材の挿通穴から退動させた状態で保持する着脱レバーを設けてなる椅子等における座部のアームレスト装置を提案する。
また本発明では、請求項４において、前記ロック機構は、前記支持部材における座部前方側下端部を、前方側下端部に軸止めした円錐軸を介して受け入れるロック筐体と、前記円錐軸に対し、円錐軸に設けた係止穴に、ロック筐体を貫いて付勢手段により、常時係止するように保持したロックピンと、このロックピンを前記円錐軸の係止穴から付勢手段の付勢力に抗して係脱させるための解除レバーとによって構成し、前記ロック筐体は、上面に前記円錐軸を受け入れる保持穴を有し、前記解除レバーとロックピンとは、解除レバーをロックピンに対して直交方向に操作した際に、ロックピンの先端側が保持穴に向かって突出する一方、解除レバーをロックピンに対して一直線状となるように操作した際に、ロックピンの先端側が保持穴から退動するように枢支されている椅子等における座部のアームレスト装置を提案する。
また本発明では、請求項５において、前記座部は、家具椅子における座部である椅子等における座部のアームレスト装置を提案する。
さらに本発明では、請求項６において、前記座部は、車椅子における座部である椅子等における座部のアームレスト装置を提案する。
【０００５】
請求項１によれば、使用者は、座部において、側面に沿って配置した支持部材に装着した肘当部材を支えとして安定姿勢を保つことができる。
座部から他の場所へ移動するときは、前記支持部材における座部前方側下端部をロック機構を操作して解除し、前記支持部材における座部前方側下端部を前記ベースフレームから離脱させて、前記支持部材を、支持部材における座部背側下端部を中継部材を介し回動着脱支持機構において回動させて前記座部側面を開放するようにする。
また、必要ならば前記回動着脱支持機構を操作して、支持部材における座部背側の下端部における中継部材を開放し、前記支持部材を取り外すことができる。
【０００６】
請求項２によれば、肘当部材を支える支持部材は、ベースフレームの、背側端部に設けた受ケースの嵌入溝において、前記支持部材における座部背側に対応した下端部の中継部材を介して回動可能であり、着脱操作機構によって前記中継部材を前記受ケースにおける嵌入溝から離脱させることができる。
【０００７】
請求項３によれば、支持部材をベースフレームから取り外すには、前記支持部材における座部前方側に対応した下端部を前記ベースフレームから離脱させた状態で、前記ベースフレームの背側端部における受ケースの嵌入溝に支持した中継部材の挿通穴に挿通した着脱ピンを、着脱レバーを操作することでコイルスプリングの付勢力に抗して、中継部材の挿通穴から退動させた状態で着脱レバーをその位置に維持することができ、前記支持部材を持ち上げることで、アームレスト装置を、容易に取り外すことができる。
【０００８】
請求項４によれば、支持部材における座部前方側に対応した下端部をベースフレームから開放するときは、解除レバーをロックピンに対して一直線状となるように操作し、ロックピンを前方側端部の係止穴から付勢手段の付勢力に抗して係脱させる。
【０００９】
請求項５によれば、使用者は椅子から移動するとき、側面の支持部材における座部前方側に対応した下端部をロック機構を操作して解除し、支持部材を肘当部材と共に移動させて、椅子座部側面を開放するようにする。
【００１０】
請求項６によれば、使用者は車椅子から移動するとき、側面の支持部材における座部前方側に対応した下端部をロック機構を操作して解除し、支持部材を肘当部材と共に傾斜変位させて、椅子座部側面を開放するようにする。
【００１１】
【発明の実施の形態】
次に、本発明にかかる椅子等における座部のアームレスト装置について、車椅子の一つの実施の形態を示すと共に、添付の図面に基づいて、以下説明する。
図１に車椅子１を示し、この車椅子１は座部側面にアームレスト装置２を備えている。
この車椅子１では、前輪３と、前輪３に比較して大径な後輪４を装着したベースフレーム５と、ベースフレーム５に前記前輪３前方に突出するフットレスト６を保持してなるフットフレーム７と、ベースフレーム５から後輪４上方に延在する背フレーム８と、背フレーム８に連なるハンドル部９と、ベースフレーム５における背フレーム８取付箇所近傍から、前記フットフレーム７取付箇所にかけて配置してなる座部（図示省略）とを備え、この座部両側面に前記アームレスト装置２を配置するようにしている。
【００１２】
前記アームレスト装置２は、図２に示すように前記ベースフレーム５上の、背フレーム８取付箇所近傍から、前記フットフレーム７取付箇所にかけて配置してなる支持部材１０と、支持部材１０に装着した肘当部材１１とを備え、前記支持部材１０は、前記ベースフレーム５の、背フレーム８側の端部を回動着脱支持機構１２を介して枢支する一方、フットフレーム７取付箇所側の端部をロック機構１３を介して着脱可能に支持する構成としている。
【００１３】
前記支持部材１０は、ここではパイプ材を使用して両端側を屈曲させて略コ型形状に形成し、これら両端近傍間に保持してなるガードパネル１４と、前記支持部材１０中間に設けた保持体１５からガードパネル１４中心部にかけて、前記肘当部材１１を支柱部１６を介し、高さ調節機構１７により高さ調節可能に支持している。なお前記支持部材１０は、勿論、パイプ材に限らず、棒状のものを前記コ型形状に成形したものでもよい。またガードパネルを用いず、全体の板状のものであってもよい。
【００１４】
前記肘当部材１１は、周知の合成樹脂成形体により構成しており、詳細は説明しないが車椅子１前方側、すなわちフットフレーム７取付箇所側に向いた先端部を、使用者が握りやすいように成形している。
【００１５】
次に前記回動着脱支持機構１２は、前述のように、ベースフレーム５の、背フレーム８寄りの端部に設けられるものであるが、支持部材１０の、背フレーム８側に位置する下端部Ｅ1に中継部材１８を軸止めし、この中継部材１８を前記ベースフレーム５端部側に装着した受ケース１９に、着脱操作機構２０により、着脱可能に支持する構成している（図４参照）。
着脱操作機構２０は、前記受ケース１９に前記中継部材１８を受け入れる嵌入溝２１を有し、嵌入溝２１に直交するように形成したピン穴２２を有し、このピン穴２２に着脱ピン２３を挿通して前記嵌入溝２１に支持した中継部材１８の挿通穴１８ｈにコイルスプリング２４により、前記着脱ピン２３を嵌入して中継部材１８を拘束する構成とし、前記受ケース１９に、前記着脱ピン２３を、コイルスプリング２４の付勢力に抗して、中継部材１８の挿通穴１８ｈから退動せしめる着脱レバー２５を設けている。
【００１６】
そして前記ロック機構１３は、ベースフレーム５のフットフレーム７取付箇所側の端部に固設して前記支持部材１０の前方側下端部Ｅ2を、前方側下端部Ｅ2に軸止めした円錐軸２６を介して受け入れるロック筐体２７と、ロック筐体２７に付勢手段（図示省略）により前記円錐軸２６に設けた係止穴２８に、常時係止するように保持したロックピン２９と、このロックピン２９を円錐軸２６の係止穴２８から付勢手段の付勢力に抗して係脱させるための解除レバー３０とによって構成している。
【００１７】
前記ロック筐体２７は、上面に前記円錐軸２６を受け入れる保持穴３１を有し、この保持穴３１に向かって前記ロックピン２９の先端側が付勢手段により臨入している。前記保持穴３１の内面形状は、前記円錐軸２６に対応している。
【００１８】
そして前記解除レバー３０とロックピン２９とは、解除レバー３０をロックピン２９に対して直交方向に操作した際に、ロックピン２９の先端側が保持穴３１に向かって突出するように、一方、解除レバー３０をロックピン２９に対して一直線状となるように操作した際に、ロックピン２９の先端側が保持穴３１から退動するように枢支されている。
【００１９】
以上のようなアームレスト装置２によれば、使用者は、車椅子１の座部において、側面に沿って配置した支持部材１０によって支持した肘当部材１１に上肢を乗せることで、この肘当部材１１を支えとして安定姿勢を保つことができる。
【００２０】
また、前記車椅子１の座部から他の場所へ移動するときは、前記支持部材１０の前方側下端部Ｅ2をロック機構１３の解除レバー３０を操作して解除し（図６参照）、前記支持部材１０を肘当部材１１と共に、背フレーム８側の端部の受ケース１９の嵌入溝２１において支持した中継部材１８の挿通穴１８ｈに、ピン穴２２を介してコイルスプリング２４により挿通した着脱ピン２３を中心に傾斜変位させて跳ね上げ状態とし、前記座部側面を開放するようにする（図２参照）。
【００２１】
そして、必要とあれば、前記嵌入溝２１に支持した中継部材１８の挿通穴１８ｈに挿通した着脱ピン２３を、着脱レバー２５を操作することで（図４参照）コイルスプリング２４の付勢力に抗して、中継部材１８の挿通穴１８ｈから退動せしめて、アームレスト装置２を、座部側面から取り外すことができる（図２参照）。
【００２２】
以上、本発明にかかる椅子等における座部のアームレスト装置について、車椅子１に設けたアームレスト装置２を示し、説明したが、かかるアームレスト装置は、勿論、通常の椅子４０に設けることもできる（図７参照）。
この場合、アームレスト装置は、座部側面を開放するとき、必ずしも、背もたれ側に跳ね上げて開放する方式のものである必要はない。すなわち、詳細は説明しないが、例えばアームレスト装置２を構成する支持部材１０の背もたれ側端部を支持する中継部材１８の中心軸を中心に側方側に展開開放する構造としてもよい（図８参照）。
【００２３】
【発明の効果】
本発明によれば、
（１）座部から他の場所へ移動するときは、支持部材における座部前方側下端部をロック機構を操作して解除し、前記座部前方側下端部を前記ベースフレームから離脱させ、前記支持部材を、支持部材における座部背側下端部を中継部材を介し回動着脱支持機構において回動させて前記座部側面を開放すればよく、操作が簡単である。しかも、必要に応じて、前記回動着脱支持機構を操作して、支持部材の座部背側下端部における中継部材を開放し、前記支持部材を取り外すことができる。
（２）支持部材をベースフレームから取り外すには、操作者は、支持部材における座部背側下端部を中継部材を介して保持する回動着脱支持機構を操作すればよい。
このとき、前記回動着脱支持機構であるベースフレームの背側端部における受ケースの嵌入溝に支持した中継部材の挿通穴に挿通した着脱ピンを、着脱レバーを操作することでコイルスプリングの付勢力に抗して、中継部材の挿通穴から退動させた状態で着脱レバーをその位置に維持し、前記中継部材を受ケースの嵌入溝から着脱可能状態とすることができ、操作者は単に前記支持部材を持ち上げるだけでよいので、容易に取り外すことができる。
（３）肘当部材を支える支持部材の回動着脱支持機構およびロック機構によって、一人の操作者によって、支持部材を座部側面から開放させる操作、および解除操作が簡単であると同時に、偶発的に、且つ不用意に外れることのない安全確実な機能がもたらされる。
（４）アームレスト装置を通常の椅子に用いた場合、座部側面の支持部材の前方側下端部をロック機構を操作して解除し、支持部材を肘当部材と共に移動させて、椅子座部側面を開放することができ、他の箇所への移動が容易となる。
（５）アームレスト装置を車椅子に用いた場合にあっては、使用者は車椅子から移動するとき、側面の支持部材の前方側下端部をロック機構を操作して解除し、支持部材を肘当部材と共に傾斜変位させて、椅子座部側面を開放することで、介助者の大いなる手助けとなり、使用者にとっても前記車椅子を使いやすいものとすることができる。
【００２４】
【図面の簡単な説明】
【図１】本発明にかかるアームレスト装置を用いた車椅子の一例を示した、側面図である。
【図２】図１に示すアームレスト装置の機能を説明するための、側面説明図である。
【図３】図１に示すアームレスト装置の取り付け構成を示した、要部拡大側面図である。
【図４】図１に示すアームレスト装置の背フレーム寄り側の回動着脱支持機構の機能構成を示した、要部説明図である。
【図５】図４に示す回動着脱支持機構の平面図である。
【図６】図１に示すアームレスト装置のフットフレーム取付箇所側の端部におけるロック機構の外観斜視図である。
【図７】本発明にかかるアームレスト装置を用いた椅子の一例を示した、側面図である。
【図８】本発明にかかるアームレスト装置を用いた椅子の別例を示した、斜視説明図である。
【符号の説明】
１                        車椅子
２                        アームレスト装置
３                        前輪
４                        後輪
５                        ベースフレーム
６                        フットレスト
７                        フットフレーム
８                        背フレーム
９                        ハンドル部
１０                      支持部材
１１                      肘当部材
１２                      回動着脱支持機構
１３                      ロック機構
１４                      ガードパネル
１５                      保持体
１６                      支柱部
１７                      高さ調節機構
１８                      中継部材
１８ｈ                    挿通穴
１９                      受ケース
２０                      着脱操作機構
２１                      嵌入溝
２２                      ピン穴
２３                      着脱ピン
２４                      コイルスプリング
２５                      着脱レバー
２６                      円錐軸
２７                      ロック筐体
２８                      係止穴
２９                      ロックピン
３０                      解除レバー
３１                      保持穴
３２                      椅子
Ｅ1，Ｅ2 下端部
【図１】
0003552696.tif 000002
【図２】
0003552696.tif 000003
【図３】
0003552696.tif 000004
【図４】
0003552696.tif 000005
【図５】
0003552696.tif 000006
【図６】
0003552696.tif 000007
【図７】
0003552696.tif 000008
【図８】
0003552696.tif 000009